(57)【要約】  アクセス端末が、モビリティが低いまたはないことを示すアクセス端末のための修正されたセル再選択パラメータおよび／またはプロシージャの使用を可能にするように適応される。アクセス端末は、アクセス端末がモバイルであるとき、セル再選択を実行すべきかどうかを判断するために１つまたは複数のモバイルしきい値を採用し、アクセス端末が固定または実質的に固定であるとき、セル再選択を実行すべきかどうかを判断するために１つまたは複数の固定しきい値を採用し得る。アクセス端末上で動作可能な方法は、アクセス端末が固定または実質的に固定であると判断することと、アクセス端末が少なくとも実質的に固定であると判断されたとき、セル再選択を実行すべきかどうかを判断するために１つまたは複数の固定しきい値を採用することとを含む。他の態様、実施形態、および特徴も含まれる。
2014533912.tif 000002
【特許請求の範囲】
【請求項１】
アクセス端末であって、
通信インターフェースと、
記憶媒体と、
前記通信インターフェースと前記記憶媒体とに結合された処理回路であって、
前記アクセス端末がモバイルであるとき、セル再選択を実行すべきかどうかを判断するために１つまたは複数のモバイルしきい値を採用することと、
前記アクセス端末が少なくとも実質的に固定であるとき、セル再選択を実行すべきかどうかを判断するために１つまたは複数の固定しきい値を採用することと
を行うように適応された処理回路と
を備える、アクセス端末。
【請求項２】
セル再選択を実行すべきかどうかを判断するための前記１つまたは複数の固定しきい値が、
セル再選択のための１つまたは複数の他のセルの信号測定をトリガするサービングセルに関連する信号品質のレベルについての低減されたしきい値
を備える、請求項１に記載のアクセス端末。
【請求項３】
セル再選択を実行すべきかどうかを判断するための前記１つまたは複数の固定しきい値は、
新しいセルの品質が、前記新しいセルへの再選択が実行される前のサービングセルの品質よりも良好であるべきである量についての増加したしきい値
を備える、請求項１に記載のアクセス端末。
【請求項４】
前記処理回路は、前記アクセス端末がモバイルであるか、少なくとも実質的に固定であるかを判断するようにさらに適応された、請求項１に記載のアクセス端末。
【請求項５】
前記処理回路は、前記記憶媒体において事前プロビジョニングされたモビリティタイプデータから、前記アクセス端末がモバイルであるか、少なくとも実質的に固定であるかを判断するように適応された、請求項４に記載のアクセス端末。
【請求項６】
前記処理回路は、前記アクセス端末が所定の時間期間にわたって新しいセルを再選択しなかったとき、前記アクセス端末が少なくとも実質的に固定であると判断するように適応された、請求項４に記載のアクセス端末。
【請求項７】
前記処理回路は、前のセル再選択がセルの共通グループ間の再選択に限定されているとき、前記アクセス端末が少なくとも実質的に固定であると判断するように適応された、請求項４に記載のアクセス端末。
【請求項８】
前記処理回路は、１つまたは複数の近隣セルについての相対的信号強度が所定の持続時間の間少なくとも実質的に同じままであるとき、前記アクセス端末が少なくとも実質的に固定であると判断するように適応された、請求項４に記載のアクセス端末。
【請求項９】
前記処理回路は、前記アクセス端末についてのＧＰＳロケーションが所定の時間期間の間少なくとも実質的に同じままであるとき、前記アクセス端末が少なくとも実質的に固定であると判断するように適応された、請求項４に記載のアクセス端末。
【請求項１０】
前記処理回路は、
前記アクセス端末が少なくとも実質的に固定であるとき、低減された頻度で１つまたは複数のセル再選択プロシージャを行う
ようにさらに適応された、請求項１に記載のアクセス端末。
【請求項１１】
アクセス端末において動作可能な方法であって、
前記アクセス端末が少なくとも実質的に固定であると判断することと、
前記アクセス端末が少なくとも実質的に固定であると判断したことに応答して、セル再選択を実行すべきかどうかを判断するために１つまたは複数の固定しきい値を採用することと
を備える、方法。
【請求項１２】
前記アクセス端末が少なくとも実質的に固定であると判断することは、
記憶媒体に記憶された事前プロビジョニングされたデータから、前記アクセス端末が少なくとも実質的に固定であることを示すモビリティタイプを取得すること
を備える、請求項１１に記載の方法。
【請求項１３】
前記アクセス端末が少なくとも実質的に固定であると判断することは、
前記アクセス端末が所定の時間期間にわたって新しいセルを再選択しなかったと判断すること、または
前のセル再選択がセルの共通グループ間の再選択に限定されていると判断すること
のうちの少なくとも１つを備える、請求項１１に記載の方法。
【請求項１４】
前記アクセス端末が少なくとも実質的に固定であると判断することは、
所定の時間期間にわたって複数の近隣セルの各々についての相対的パイロット信号強度を監視することと、
１つまたは複数の近隣セルについての前記相対的パイロット信号強度の変化があらかじめ定義されたしきい値を下回ると判断することと
を備える、請求項１１に記載の方法。
【請求項１５】
前記アクセス端末が少なくとも実質的に固定であると判断することは、
所定の時間期間の間ＧＰＳロケーションを監視することと、
前記所定の時間期間にわたる前記ＧＰＳロケーションの変化があらかじめ定義されたしきい値よりも小さいと判断することと
を備える、請求項１１に記載の方法。
【請求項１６】
セル再選択を実行すべきかどうかを判断するために１つまたは複数の固定しきい値を採用することが、
セル再選択のための１つまたは複数の他のセルの信号測定をトリガするサービングセルに関連する信号品質のレベルについての低減されたしきい値を採用すること
を備える、請求項１１に記載の方法。
【請求項１７】
セル再選択を実行すべきかどうかを判断するために１つまたは複数の固定しきい値を採用することは、
新しいセルの品質が、前記新しいセルへの再選択が行われる前のサービングセルの品質よりも良好であるべきである量についての増加したしきい値を採用すること
を備える、請求項１１に記載の方法。
【請求項１８】
前記アクセス端末が少なくとも実質的に固定であると判断したことに応答して、低減された頻度で１つまたは複数のセル再選択プロシージャを行うこと
をさらに備える、請求項１１に記載の方法。
【請求項１９】
低減された頻度で１つまたは複数のセル再選択プロシージャを行うことが、
低減された頻度でサービングセルに関連する信号品質を評価すること
を備える、請求項１８に記載の方法。
【請求項２０】
低減された頻度で１つまたは複数のセル再選択プロシージャを行うことが、
低減された頻度で１つまたは複数の他のセルに関連する信号を分析すること
を備える、請求項１８に記載の方法。
【請求項２１】
前記アクセス端末がモバイルであるとき、セル再選択を実行すべきかどうかを判断するために１つまたは複数のモバイルしきい値を採用すること
をさらに備える、請求項１１に記載の方法。
【請求項２２】
アクセス端末であって、
前記アクセス端末が少なくとも実質的に固定であると判断するための手段と、
前記アクセス端末が少なくとも実質的に固定であるという判断に続いて、セル再選択を実行すべきかどうかを判断するために１つまたは複数の固定しきい値を採用するための手段と
を備える、アクセス端末。
【請求項２３】
セル再選択を実行すべきかどうかを判断するための前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が実行される前のサービングセルの品質よりも良好であるべきである量についての増加したしきい値と
を備える固定しきい値のグループから選択される、請求項２２に記載のアクセス端末。
【請求項２４】
前記アクセス端末が少なくとも実質的に固定であるという判断に続いて、低減された頻度で１つまたは複数のセル再選択プロシージャを行うための手段
をさらに備える、請求項２２に記載のアクセス端末。
【請求項２５】
アクセス端末上で動作可能なプログラミングを備えるプロセッサ可読媒体であって、プロセッサによって実行されたとき、
前記アクセス端末がモバイルであるとき、セル再選択を実行すべきかどうかを判断するために１つまたは複数のモバイルしきい値を採用することと、
前記アクセス端末が少なくとも実質的に固定であるとき、セル再選択を実行すべきかどうかを判断するために１つまたは複数の固定しきい値を採用することと
を前記プロセッサに行わせる、プロセッサ可読媒体。
【請求項２６】
セル再選択を実行すべきかどうかを判断するための前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が実行される前のサービングセルの品質よりも良好であるべきである量についての増加したしきい値と
を備える、請求項２５に記載のプロセッサ可読媒体。
【請求項２７】
前記プロセッサによって実行されたとき、
前記アクセス端末がモバイルであるか、少なくとも実質的に固定であるかを判断すること
を前記プロセッサに行わせるプログラミングをさらに備える、請求項２５に記載のプロセッサ可読媒体。
【請求項２８】
前記プロセッサによって実行されたとき、
前記アクセス端末が少なくとも実質的に固定であるとき、低減された頻度で１つまたは複数のセル再選択プロシージャを行うこと
を前記プロセッサに行わせるプログラミングをさらに備える、請求項２５に記載のプロセッサ可読媒体。
【発明の詳細な説明】
【技術分野】
【０００１】
関連出願の相互参照および優先権主張
本特許出願は、本出願の譲受人に譲渡され、参照により本明細書に明確に組み込まれる、２０１１年１１月１８日に出願された「METHODS AND DEVICES FOR FACILITATING POWER CONSERVATION AND NETWORK OPTIMIZATIONS WHEN ACCESS TERMINALS EXHIBIT LITTLE OR NO MOBILITY」と題する仮出願第６１／５６１，６３８号の優先権を主張する。
【０００２】
本発明の実施形態は、一般にワイヤレス通信に関し、より詳細には、モビリティが低いまたはないことを示すアクセス端末のための修正されたセル再選択パラメータおよび／またはプロシージャを可能にするための方法およびデバイスに関する。
【背景技術】
【０００３】
ワイヤレス通信システムは、音声、ビデオ、パケットデータ、メッセージング、ブロードキャストなど、様々なタイプの通信コンテンツを提供するために広く展開されている。これらのシステムは、ワイヤレス通信を可能にするように適応された様々なタイプのアクセス端末によってアクセスされ得、複数のアクセス端末が、利用可能なシステムリソース（たとえば、時間、周波数、および電力）を共有する。そのようなワイヤレス通信システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
複数のタイプのアクセス端末が、そのようなワイヤレス通信システムを利用するように適応される。しばしば、アクセス端末は、アクセス端末が、ワイヤレス通信システムへのアクセスを維持しながら地理的領域全体にわたって移動することができるように、モビリティに適応される。他のアクセス端末はロケーションの変化をほとんど受けることがない。ロケーションの変化をほとんど受けないアクセス端末のいくつかの例としてはマシンツーマシン（Ｍ２Ｍ：machine-to-machine）アクセス端末がある。Ｍ２Ｍ適応アクセス端末は、少なくとも実質的にユーザ対話なしに動作するように適応されたアクセス端末を含み得る。
【発明の概要】
【０００５】
様々なタイプのアクセス端末は、しばしば、バッテリーなどの限られた電源で動作する。したがって、これらの限られた電源の寿命を改善するための機能が望ましいことがある。本開示の様々な例および実装形態は、１つまたは複数のセル再選択機能を最適化することによって電力節約を可能にする。本開示の１つまたは複数の態様は、修正されたセル再選択パラメータおよび／またはプロシージャを可能にするように適応されたアクセス端末を含む。少なくとも１つの例では、そのようなアクセス端末は、各々が処理回路に結合された通信インターフェースと記憶媒体とを含み得る。アクセス端末がモバイルであるとき、処理回路は、セル再選択を実行すべきかどうかを判断するために１つまたは複数のモバイルしきい値を採用するように適応され得る。アクセス端末が少なくとも実質的に固定であるとき、処理回路は、セル再選択を実行すべきかどうかを判断するために１つまたは複数の固定しきい値を採用し得る。そのような固定しきい値は、セル再選択のための１つまたは複数の他のセルの信号測定をトリガするサービングセルに関連する信号品質のレベルについての低減されたしきい値、および／または新しいセルの品質が、新しいセルへの再選択が実行される前のサービングセルの品質よりも良好であるべきである量についての増加したしきい値を含み得る。
【０００６】
本開示の追加の態様は、アクセス端末上で動作可能な方法を含み、および／またはそのような方法を実行するための手段を含むアクセス端末を含む。そのような方法の１つまたは複数の例は、アクセス端末が少なくとも実質的に固定であると判断することを含み得る。この判断に応答して、セル再選択を実行すべきかどうかを判断するために１つまたは複数の固定しきい値が採用され得る。１つまたは複数の固定しきい値は、セル再選択のための１つまたは複数の他のセルの信号測定をトリガするサービングセルに関連する信号品質のレベルについての低減されたしきい値、および／または新しいセルの品質が、新しいセルへの再選択が実行される前のサービングセルの品質よりも良好であるべきである量についての増加したしきい値を含み得る。
【０００７】
本開示のさらなる態様は、アクセス端末上で動作可能なプログラミングを含むプロセッサ可読媒体を含む。１つまたは複数の例によれば、そのようなプログラミングは、アクセス端末がモバイルであるとき、セル再選択を実行すべきかどうかを判断するために１つまたは複数のモバイルしきい値を採用することをプロセッサに行わせ得る。プログラミングは、アクセス端末が少なくとも実質的に固定であるとき、セル再選択を実行すべきかどうかを判断するために１つまたは複数の固定しきい値を採用することをプロセッサにさらに行わせ得る。１つまたは複数の固定しきい値は、セル再選択のための１つまたは複数の他のセルの信号測定をトリガするサービングセルに関連する信号品質のレベルについての低減されたしきい値、および／または新しいセルの品質が、新しいセルへの再選択が実行される前のサービングセルの品質よりも良好であるべきである量についての増加したしきい値を含み得る。
【０００８】
本発明の特定の例示的な実施形態の以下の説明を添付の図と併せて検討すれば、当業者には、本発明の他の態様、特徴、および実施形態が明らかになろう。本発明の特徴が、以下のいくつかの実施形態および図に関連して説明され得るが、本発明のすべての実施形態は、本明細書で説明する有利な特徴のうちの１つまたは複数を含むことができる。言い換えれば、１つまたは複数の実施形態が、いくつかの有利な特徴を有するものとして説明され得るが、そのような特徴のうちの１つまたは複数は、本明細書で説明する本発明の様々な実施形態に従っても使用され得る。同様に、例示的な実施形態が、以下ではデバイス、システム、または方法の実施形態として説明され得るが、そのような例示的な実施形態は、様々なデバイス、システム、および方法で実装され得ることを理解されたい。
【図面の簡単な説明】
【０００９】
【図１】本開示の１つまたは複数の態様が適用例を見つけ得るネットワーク環境のブロック図。
【図２】少なくとも１つの例による、図１のワイヤレス通信システムの選択構成要素を示すブロック図。
【図３】いくつかの実施形態による、アイドルモードセル再選択パラメータおよび／またはプロシージャの調整を可能にするための一例を示す流れ図。
【図４】少なくとも１つの例による、アクセス端末の選択構成要素を示すブロック図。
【図５】少なくとも１つの例による、アクセス端末上で動作可能な方法を示す流れ図。
【発明を実施するための形態】
【００１０】
添付の図面に関して以下に示す説明は、様々な構成を説明するものであり、本明細書で説明する概念が実施され得る唯一の構成を表すものではない。以下の説明は、様々な概念の完全な理解を与えるための具体的な詳細を含む。ただし、これらの概念はこれらの具体的な詳細なしに実施され得ることが当業者には明らかであろう。いくつかの事例では、説明される概念および特徴を不明瞭にしないように、よく知られている回路、構造、技法および構成要素をブロック図の形式で示す。
【００１１】
以下の説明では、１つまたは複数の例のいくつかの特徴について説明するためにいくつかの用語を使用する。本明細書で使用する「アクセス端末」という用語は広く解釈されるものとする。たとえば、「アクセス端末」は、概して、ワイヤレス信号を介して１つまたは複数の他のデバイスと通信する１つまたは複数のデバイスを指す。そのようなアクセス端末は、当業者によって、ユーザ機器（ＵＥ）、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、モバイル端末、ワイヤレス端末、リモート端末、ハンドセット、端末、ユーザエージェント、モバイルクライアント、クライアント、または何らかの他の好適な用語で呼ばれることもある。アクセス端末は、モバイル端末および／または少なくとも実質的に固定の端末を含み得る。アクセス端末の例としては、モバイルフォン、ページャ、ワイヤレスモデム、携帯情報端末、個人情報マネージャ（ＰＩＭ）、パーソナルメディアプレーヤ、パームトップコンピュータ、ラップトップコンピュータ、タブレットコンピュータ、テレビジョン、アプライアンス、電子リーダー、デジタルビデオレコーダ（ＤＶＲ）、マシンツーマシン（Ｍ２Ｍ）デバイス、および／または少なくとも部分的にワイヤレスまたはセルラーネットワークを介して通信する他の通信／コンピューティングデバイスがある。
【００１２】
本開示全体にわたって提示する様々な概念は、多種多様な電気通信システム、ネットワークアーキテクチャ、および通信規格にわたって実施され得る。本開示のいくつかの態様がＣＤＭＡならびに第３世代パートナーシッププロジェクト２（３ＧＰＰ２：3rd Generation Partnership Project 2）１ｘプロトコルおよびシステムについて以下で説明され、関係する用語が以下の説明の大部分において見つけられ得る。しかしながら、本開示の１つまたは複数の態様が、１つまたは複数の他のワイヤレス通信プロトコルおよびシステムにおいて採用され、それらの中に含まれ得ることを、当業者は認識されよう。
【００１３】
図１は、本開示の１つまたは複数の態様が適用例を見つけ得るネットワーク環境のブロック図である。ワイヤレス通信システム１００は、１つまたは複数のアクセス端末１０４とワイヤレス通信するように適応された基地局１０２を含む。システム１００は、複数のキャリア（異なる周波数の波形信号）上での動作をサポートし得る。マルチキャリア送信機は、複数のキャリア上で同時に被変調信号を送信することができる。各被変調信号は、ＣＤＭＡ信号、ＴＤＭＡ信号、ＯＦＤＭＡ信号、シングルキャリア周波数分割多元接続（ＳＣ−ＦＤＭＡ）信号などであり得る。各被変調信号は、異なるキャリア上で送られ得、制御情報（たとえば、パイロット信号）、オーバーヘッド情報、データなどを搬送し得る。
【００１４】
基地局１０２は、基地局アンテナを介してアクセス端末１０４とワイヤレス通信することができる。基地局１０２は、複数のキャリアを介して基地局コントローラ（図２参照）の制御下でアクセス端末１０４と通信するように構成される。基地局１０２のサイトの各々は、それぞれの地理的エリアに通信カバレージを与えることができる。基地局１０２のためのカバレージエリア１０６は、ここでは、セル１０６ａ、１０６ｂ、または１０６ｃとして識別される。基地局１０２のためのカバレージエリア１０６は、（図示されていないが、カバレージエリアの一部分のみを構成する）セクタに分割され得る。システム１００は、異なるタイプの基地局１０２（たとえば、マクロ基地局、マイクロ基地局、および／またはピコ基地局）を含み得る。
【００１５】
アクセス端末１０４はカバレージエリア１０６全体にわたって分散され得る。各アクセス端末１０４は１つまたは複数の基地局１０２と通信し得る。図２は、少なくとも１つの例による、ワイヤレス通信システム１００の選択構成要素を示すブロック図である。図示のように、基地局１０２は、無線アクセスネットワーク（ＲＡＮ）２０２の少なくとも一部として含まれる。無線アクセスネットワーク（ＲＡＮ）２０２は、概して、１つまたは複数のアクセス端末１０４と、コアネットワーク２０４中に含まれるネットワークエンティティなどの１つまたは複数の他のネットワークエンティティとの間のトラフィックおよびシグナリングを管理するように適応される。無線アクセスネットワーク２０２は、当業者によって、基地局サブシステム（ＢＳＳ）、アクセスネットワーク、ＵＭＴＳ地上波無線アクセスネットワーク（ＵＴＲＡＮ：UMTS Terrestrial Radio Access Network）などと呼ばれることもある。
【００１６】
１つまたは複数の基地局１０２に加えて、無線アクセスネットワーク２０２は、当業者によって無線ネットワークコントローラ（ＲＮＣ）と呼ばれることもある基地局コントローラ（ＢＳＣ）２０６を含むことができる。基地局コントローラ２０６は、概して、基地局コントローラ２０６に接続された１つまたは複数の基地局１０２に関連する１つまたは複数のカバレージエリア内でのワイヤレス接続の確立、解放、および維持を担当する。基地局コントローラ２０６は、コアネットワーク２０４の１つまたは複数のノードまたはエンティティに通信可能に結合され得る。
【００１７】
コアネットワーク２０４は、無線アクセスネットワーク２０２を介して接続されたアクセス端末１０４に様々なサービスを与えるワイヤレス通信システム１００の一部分である。コアネットワーク２０４は、回線交換（ＣＳ：circuit-switched）ドメインとパケット交換（ＰＳ：packet-switched）ドメインとを含み得る。回線交換エンティティのいくつかの例としては、ＭＳＣ／ＶＬＲ２０８として識別された、モバイル交換センター（ＭＳＣ：mobile switching center）およびビジターロケーションレジスタ（ＶＬＲ：visitor location register）、ならびにゲートウェイＭＳＣ（ＧＭＳＣ：Gateway MSC）２１０がある。パケット交換要素のいくつかの例としては、サービングＧＰＲＳサポートノード（ＳＧＳＮ：Serving GPRS Support Node）２１２およびゲートウェイＧＰＲＳサポートノード（ＧＧＳＮ：Gateway GPRS Support Node）２１４がある。ＥＩＲ、ＨＬＲ、ＶＬＲおよびＡｕＣなど、他のネットワークエンティティが含まれ得、それらの一部または全部が回線交換ドメインとパケット交換ドメインの両方によって共有され得る。アクセス端末１０４は、回線交換ドメインを介して公衆交換電話網（ＰＳＴＮ：public switched telephone network）２１６へのアクセスを取得し、パケット交換ドメインを介してＩＰネットワーク２１８へのアクセスを取得することができる。
【００１８】
再び図１を参照すると、アクセス端末１０４はワイヤレス通信システム１００内で動作するので、アクセス端末１０４は、（たとえば、電源投入時に）ネットワークに接続し、好適なセル１０６（たとえば、１０６ａ、１０６ｂ、１０６ｃ）を探索することができる。好適なセル（たとえば、セル１０６ａ）のロケーション上では、アクセス端末１０４は、そのセルに関連する基地局１０２（たとえば、セル１０６ａ中の基地局１０２）への登録を実行することができる。アクセス端末１０４がアイドルモードにあり、セル（たとえば、セル１０６ａ）とアクティブに通信していない場合、アクセス端末１０４はセル（たとえば、セル１０６ａ）に「キャンプ」オンし得る。特定のセルにキャンプオンされることは、アクセス端末１０４が、そこからページング信号とブロードキャスト信号とを受信するためにセルの制御チャネルに同調されることを含み得る。アクセス端末１０４がキャンプオンされるセルはサービングセルと呼ばれることがある。
【００１９】
サービングセル（たとえば、セル１０６ａ）にキャンプオンされている間、アクセス端末１０４は、アクセス端末１０４がネットワークの最も適切なセルにキャンプオンされることを保証するためにより良いセル（たとえば、セル１０６ｂまたは１０６ｃ）を周期的に探索し得る。より良いセル（たとえば、セル１０６ｂまたは１０６ｃ）が発見された場合、アクセス端末１０４は、一般にセル再選択と呼ばれるプロセスを介して新しいサービングセルとしてそのより良いセルを選択し得る。
【００２０】
セル再選択は、すべての可能な基地局チャネルの一般的な探索に基づき得るか、あるいはセルの記憶されたリストの参照および／またはアクセス端末１０４が専用モードにある間に行われるセル信号強度測定によって助けられ得る。アクセス端末１０４は、それがキャンプオンされる現在のセルから受信した信号、ならびに１つまたは複数の近隣セルからの信号を監視することができる。たとえば、近隣セルのうちの１つからの信号が現在のセルの信号よりも十分に強い場合、および／またはセル再選択がネットワーク状態および優先順位によって引き起こされた場合、セル変更が示され得る。
【００２１】
アイドルモードで実行される探索は、チャネル状態が変化した場合でも、アクセス端末１０４ができる限りの最良のセルにキャンプオンすることを可能にし得る。できる限りの最良のセルを発見し、それにキャンプオンすることによって、アクセス端末１０４は、確実に着信ページングメッセージを受信し、確実に呼を開始または受信することができる。したがって、アイドルモードにある間のより良いセルの探索、ならびに新しいセルへの再選択は、多くの事例では有益であり得る。より良いセルの探索および新しいセルへの再選択はまた、バッテリー電力を消費し、それにより、アイドルモードにあるアクセス端末１０４の待機時間が短縮され得る。
【００２２】
いくつかの事例では、アクセス端末１０４のうちの１つまたは複数は、チャネル状態が有意味な方法で変化する可能性が低いように固定または実質的に固定であり得る。そのような固定または実質的に固定のアクセス端末１０４の一例としてはマシンツーマシン（Ｍ２Ｍ）対応アクセス端末１０４がある。Ｍ２Ｍ対応アクセス端末１０４は、少なくとも実質的にユーザ対話なしに、ワイヤレス通信システム１００を介して１つまたは複数のデバイスとワイヤレス通信するように適応される。Ｍ２Ｍアクセス端末１０４は、ワイヤレス通信システム１００を介してアプリケーション（たとえば、ソフトウェアプログラム）に中継されるイベントをキャプチャするように適応された通信デバイス（たとえば、温度をキャプチャするセンサー、インベントリレベルをキャプチャするためのメーターなど）を備え得、イベントデータは、有意味な情報（たとえば、温度を下げる／上げる必要がある、アイテムを補充する必要があるなど）に変換され得る。限定ではなく例として、Ｍ２Ｍアクセス端末１０４は、サーモスタット、水量計、スプリンクラーシステム、スマートメーター、アプライアンスなどを含み得る。
【００２３】
固定または実質的に固定であるアクセス端末１０４は、概して、１つまたは複数の特定の基地局１０２間に同様の信号パラメータを保持し得る。その結果、チャネル状態は有意味な方法で変化する可能性が低く、より良いセルの探索はセル再選択をもたらす可能性が低い。さらに、セル再選択はあまり有益でないことがある。いくつかの事例では、セル再選択が実行されたとき、固定または実質的に固定のアクセス端末１０４は、結局現在のサービングセルと新しいセルとの間を往復して再選択することになり得る。
【００２４】
少なくとも１つの特徴によれば、本開示のアクセス端末１０４は、そのようなセル再選択プロシージャを行う頻度および／または可能性を低減するために、固定アクセス端末のために最適化された１つまたは複数のアイドルモードセル再選択パラメータおよび／またはプロシージャを採用するように適応され得る。図３は、アイドルモードセル再選択パラメータおよび／またはプロシージャの調整を可能にするための一例を示す流れ図である。アクセス端末１０４およびネットワークノード３０２が示されている。ネットワークノード３０２は、図１および図２に示した、基地局１０２、基地局コントローラ２０６、および／またはＭＳＣ／ＶＬＲ２０８など、１つまたは複数のネットワーク要素を表し得る。最初に、アクセス端末１０４は、３０４においてそれのモビリティタイプが固定または実質的に固定であると判断する。固定または実質的に固定のモビリティタイプのこの判断は、１つまたは複数の従来の（またはモバイル）セル再選択パラメータおよび／またはプロシージャの代わりに、１つまたは複数の固定セル再選択パラメータおよび／またはプロシージャを採用し得ることをアクセス端末１０４に示すことができる。
【００２５】
アクセス端末１０４が少なくとも実質的に固定である（すなわち、固定モビリティタイプを有する）と判断すると、アクセス端末１０４は、３０６において、１つまたは複数の固定アイドルモードパラメータおよび／またはプロシージャを採用する。たとえば、アクセス端末１０４は、サービングセルから新しいセルへの再選択が行われるべきであると判断するために１つまたは複数の固定しきい値を採用し得る。別の例は、すべての可能な基地局チャネルのセル再選択探索がより低い頻度で行われるように、修正されたアイドルモードセル再選択プロシージャを採用することを含み得る。また別の例は、アクセス端末１０４がサービングセルの品質を評価する頻度を低減することを含み得る。
【００２６】
１つまたは複数の固定アイドルモードパラメータおよび／またはプロシージャの場合、アクセス端末１０４は、セル再選択が実施されるべきであるかどうかを判断するために、固定しきい値に従ってネットワークノード３０２からの１つまたは複数の信号パラメータを監視し得、および／またはアクセス端末１０４は、固定再選択プロシージャに従って、３０８において１つまたは複数のセル再選択プロセスを行うためにネットワークノード３０２と通信し得る。固定アイドルモードセル再選択パラメータおよび／またはプロシージャはアクセス端末１０４による電力消費の低減を可能にすることができ、それにより電源の寿命が延長される。
【００２７】
図４は、少なくとも１つの実装形態による、アクセス端末４００の選択構成要素を示すブロック図である。アクセス端末４００は、通信インターフェース４０４と記憶媒体４０６とに結合された、またはそれらと電気通信させられた処理回路４０２を含み得る。
【００２８】
処理回路４０２は、データを取得し、処理しおよび／または送り、データアクセスおよび記憶を制御し、コマンドを発行し、他の所望の動作を制御するように構成される。処理回路４０２は、少なくとも１つの例において適切な媒体によって与えられた所望のプログラミングを実装するように構成された回路を含み得る。たとえば、処理回路４０２は、１つまたは複数のプロセッサ、１つまたは複数のコントローラ、および／または実行可能プログラミングを実行するように構成された他の構造として実装され得る。処理回路４０２の例としては、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理構成要素、個別ゲートまたはトランジスタ論理、個別ハードウェア構成要素、あるいは本明細書で説明する機能を実行するように設計されたそれらの任意の組合せがあり得る。汎用プロセッサは、マイクロプロセッサ、ならびに任意の従来のプロセッサ、コントローラ、マイクロコントローラ、または状態機械を含み得る。処理回路４０２はまた、ＤＳＰとマイクロプロセッサとの組合せ、いくつかのマイクロプロセッサ、ＤＳＰコアと連携する１つまたは複数のマイクロプロセッサ、ＡＳＩＣとマイクロプロセッサ、あるいは任意の他の数の様々な構成など、コンピューティング構成要素の組合せとして実装され得る。処理回路４０２のこれらの例は説明のためのものであり、本開示の範囲内の他の好適な構成も企図される。
【００２９】
処理回路４０２は、記憶媒体４０６に記憶され得るプログラミングの実行を含む処理に適応される。本明細書で使用する「プログラミング」という用語は、限定はしないが、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００３０】
通信インターフェース４０４は、アクセス端末４００のワイヤレス通信を可能にするように構成される。たとえば、通信インターフェース４０４は、１つまたは複数のワイヤレスネットワークデバイス（たとえば、ネットワークノード）に関して双方向の情報の通信を可能にするように適用された回路および／またはプログラミングを含み得る。通信インターフェース４０４は、１つまたは複数のアンテナ（図示せず）に結合され得、少なくとも１つの受信機回路４０８（たとえば、１つまたは複数の受信機チェーン）および／または少なくとも１つの送信機回路４１０（たとえば、１つまたは複数の送信機チェーン）を含むワイヤレストランシーバ回路を含む。
【００３１】
記憶媒体４０６は、プロセッサ実行可能コードまたは命令（たとえば、ソフトウェア、ファームウェア）、電子データ、データベース、または他のデジタル情報など、プログラミングおよび／またはデータを記憶するための１つまたは複数のデバイスを表し得る。記憶媒体４０６はまた、プログラミングを実行するときに、処理回路４０２によって操作されるデータを記憶するために使用され得る。記憶媒体４０６は、汎用または専用プロセッサによってアクセスされ得る任意の利用可能な媒体であり得る。限定ではなく例として、記憶媒体４０６は、磁気ストレージデバイス（たとえば、ハードディスク、フロッピー（登録商標）ディスク、磁気ストリップ）、光記憶媒体（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスクなどの非一時的コンピュータ可読媒体、および／または情報を記憶するための他の非一時的コンピュータ可読媒体、ならびにそれらの任意の組合せを含み得る。
【００３２】
記憶媒体４０６は、処理回路４０２が記憶媒体４０６から情報を読み取り、記憶媒体４０６に情報を書き込むことができるように処理回路４０２に結合され得る。すなわち、記憶媒体４０６は、記憶媒体４０６が少なくとも処理回路４０２によってアクセス可能であるように処理回路４０２に結合され得、記憶媒体４０６が処理回路４０２と一体である例、および／または記憶媒体４０６が処理回路４０２とは別個である（たとえば、アクセス端末４００に常駐する、アクセス端末４００の外部にある、複数のエンティティ上に分散される）例を含む。
【００３３】
記憶媒体４０６によって記憶されたプログラミングは、処理回路４０２によって実行されたとき、処理回路４０２に本明細書で説明する様々な機能および／またはプロセスステップのうちの１つまたは複数を実行させる。たとえば、記憶媒体４０６は、アクセス端末４００が少なくとも実質的に固定であるとき、処理回路４０２に１つまたは複数の固定アイドルモードセル再選択パラメータおよび／またはプロシージャを採用させるように適応されたアイドルモードセル再選択動作４１２を含み得る。アイドルモードセル再選択動作４１２は、アクセス端末４００がモバイルであるとき、処理回路４０２に１つまたは複数のモバイルアイドルモードセル再選択パラメータおよび／またはプロシージャを採用させるようにさらに適応され得る。したがって、本開示の１つまたは複数の態様によれば、処理回路４０２は、本明細書で説明するアクセス端末（たとえば、アクセス端末１０２）のいずれかまたはすべてについてのプロセス、機能、ステップおよび／またはルーチンのいずれかまたはすべてを（記憶媒体４０６と併せて）実行するように適応される。本明細書で使用する、処理回路４０２に関する「適応される」という用語は、本明細書で説明する様々な特徴に従って、処理回路４０２が、特定のプロセス、機能、ステップおよび／またはルーチンを実行するように構成、採用、実装、および／またはプログラムされることのうちの１つまたは複数を指すことがある。
【００３４】
図５は、アクセス端末４００などのアクセス端末上で動作可能な方法の少なくとも１つの例を示す流れ図である。図４および図５を参照すると、アクセス端末４００は、ステップ５０２においてアクセス端末が少なくとも実質的に固定であると判断する。たとえば、アイドルモードセル再選択動作４１２を実行する処理回路４０２は、アクセス端末４００がモバイルであるか、少なくとも実質的に固定であるかを判断し得る。
【００３５】
いくつかの実装形態では、この判断は、処理回路４０２が、記憶媒体４０６に記憶され、モビリティタイプを定義するように適応された事前プロビジョニングされたデータ（または事前構成された情報）にアクセスすることを含み得る。モビリティタイプは、アクセス端末４００がモバイルであるか、少なくとも実質的に固定であるかを示すことができる。
【００３６】
いくつかの実装形態では、アイドルモードセル再選択動作４１２を実行する処理回路４０２は、セル再選択プロシージャがどのくらいの頻度で行われたかを判断し得る。処理回路４０２はまた、前のセル再選択が同じセルの共通グループ間にあったかどうか（たとえば、アクセス端末４００が同じ２つのまたは３つのセル間でのみ変化したかどうか）を考慮に入れることがある。様々な例によれば、アイドルモードセル再選択動作４１２を実行する処理回路４０２は、所定の時間期間（たとえば、２、３日、１週間、１か月など）にわたってセル再選択がなかったとき、および／または前のセル再選択が同じセルの共通グループ間の再選択に限定されるとき、アクセス端末４００が固定または実質的に固定であると判断することができる。
【００３７】
いくつかの実装形態では、アイドルモードセル再選択動作４１２を実行する処理回路４０２は、近隣セルの各々の相対的パイロット信号強度を監視し得る。１つまたは複数の近隣セルの相対的信号強度が所定の持続時間の間少なくとも実質的に同じままである（たとえば、ある測定から次の測定までの信号強度の差があるあらかじめ定義されたしきい値よりも小さい）とき、アイドルモードセル再選択動作４１２を実行する処理回路４０２は、アクセス端末４００が少なくとも実質的に固定であると結論付けることがある。
【００３８】
いくつかの実装形態では、アイドルモードセル再選択動作４１２を実行する処理回路４０２は、アクセス端末４００がモバイルであるか、少なくとも実質的に固定であるかを判断するために、（たとえば、アクセス端末４００のＧＰＳデバイス（図示せず）を介して）ＧＰＳロケーションを監視し得る。たとえば、処理回路４０２は、ある所定の頻度でＧＰＳロケーションを監視し得る。ＧＰＳロケーションの変化があらかじめ定義されたしきい値よりも小さいとき、アイドルモードセル再選択動作４１２を実行する処理回路４０２は、アクセス端末４００が少なくとも実質的に固定であると判断し得る。アクセス端末４００のモビリティを判断するための様々な例について説明するが、他の例、ならびに２つ以上の例の様々な組合せも採用され得る。
【００３９】
アクセス端末４００がモバイルであると判断された場合、アクセス端末４００は、ステップ５０４において、セル再選択を実行すべきかどうかを判断するために従来の（またはモバイル）しきい値を採用する。たとえば、処理回路４０２は、セル再選択を実行すべきかどうかを判断するために従来の（またはモバイル）しきい値を採用し得る。従来の（またはモバイル）しきい値は、モビリティタイプを顧慮せずに、従来のデバイス中に実装されるしきい値を表すことができる。
【００４０】
ステップ５０６において、アクセス端末４００が固定または実質的に固定である（たとえば、固定モビリティタイプを有する）と判断されたとき、アクセス端末４００は、セル再選択を実行すべきかどうかを判断するために１つまたは複数の固定しきい値を採用する。たとえば、アイドルモードセル再選択動作４１２を実行する処理回路４０２は、セル再選択を実行すべきかどうかを判断するために１つまたは複数の固定しきい値を採用し得る。固定しきい値は、セル再選択を実行すべきかどうかを判断するために従来の（またはモバイル）しきい値の代わりに実装され得る。すなわち、アクセス端末４００が少なくとも実質的に固定であると判断されたとき、処理回路４０２は、セル再選択を行うべきかどうかを判断するために従来のしきい値の代わりに固定しきい値を採用し得る。従来のしきい値と比較して、固定しきい値は、固定または実質的に固定のアクセス端末におけるセル再選択を低減するように適応され得る。
【００４１】
しきい値の一例としては、セル再選択のための１つまたは複数の他のセルの信号測定をトリガするサービングセルに関連する信号品質のレベルがある。アクセス端末４００がアイドルモードでサービングセルにキャンプオンされたとき、処理回路４０２は、サービングセルの１つまたは複数のチャネル（たとえば、ページングチャネル（ＰＣＨ））についての信号品質を監視し、測定し得る。サービングセルに関連する測定された信号品質があらかじめ定義されたしきい値に等しいかまたはそれを下回るとき、処理回路４０２は、周波数内測定をトリガし、セル再選択基準を評価するように適応され得る。信号品質は、サービングセルからの共通パイロットの信号対雑音比の測定を含み得る。
【００４２】
少なくとも１つの態様によれば、測定プロセスをトリガするであろう信号品質のレベルについてのしきい値が低減され得る。たとえば、アイドルモードセル再選択動作４１２を実行する処理回路４０２は、セル再選択基準の信号測定および評価をトリガするサービングセルの測定された信号品質についての（従来のしきい値と比較して）低減されたしきい値を採用し得る。すなわち、アクセス端末４００が固定または実質的に固定であるときにセル再選択測定をトリガするサービングセルの信号品質についての値は、アクセス端末４００がモバイルであるときに信号品質のために採用される値よりも低い値であることがある。限定ではなく例として、アクセス端末４００が固定または実質的に固定であるときは、３またはより低い共通パイロット信号対雑音比値がセル再選択測定をトリガし得、アクセス端末４００がモバイルであるときは、５またはより低い共通パイロット信号対雑音比がセル再選択測定をトリガし得る。測定プロセスをトリガする信号品質のレベルについての低減されたしきい値を採用することによって、アクセス端末４００は、アクセス端末４００がモバイルであるときと比較して固定または実質的に固定であるとき、セル再選択基準のより少ない信号測定および評価を実行し得る。
【００４３】
しきい値の別の例としては、新しいセルの信号品質のレベルが、新しいセルへのセル再選択が実行される前のサービングセルよりも良好である量がある。処理回路４０２がセル再選択のための１つまたは複数の他のセルの信号測定を実行した後、処理回路４０２は、新しいセルについての測定された信号品質をサービングセルの信号品質と比較するように適応される。一般に、セル再選択基準は、新しいセルに関連する信号品質がサービングセルに関連する信号品質よりも良好なある所定の量である場合、処理回路４０２が新しいセルを再選択するようなものである。
【００４４】
少なくとも１つの態様によれば、新しいセルに関連する信号品質がサービングセルに関連する信号品質よりも良好であるべきである量を定義するしきい値は増加され得る。たとえば、アイドルモードセル再選択動作４１２を実行する処理回路４０２は、新しいセルの品質が、処理回路４０２が新しいセルを再選択する前のサービングセルの品質よりも良好であるべきである量についての（従来のしきい値と比較して）増加したしきい値を採用し得る。すなわち、新しいセルの信号品質が、再選択が実行される前のサービングセルの信号品質よりも良好である量は、アクセス端末４００がモバイルであるときに採用された値と比較して、アクセス端末が固定または実質的に固定であるときにより大きい値であり得る。限定ではなく例として、新しいセルに関連する信号強度が、アクセス端末４００が少なくとも実質的に固定であるときに、サービングセルに関連する信号強度よりも少なくとも９デシベル（ｄＢ）高く、アクセス端末４００がモバイルであるときに、サービングセルに関連する信号強度よりも少なくとも５ｄＢ高いとき、新しいセルのセル再選択が実行され得る。新しいセルがサービングセルの信号品質よりも良好である信号品質のレベルについての増加したしきい値を採用することによって、アクセス端末４００は、アクセス端末４００がモバイルであるときと比較して固定または実質的に固定であるとき、新しいセルのより少ない再選択を実行し得る。
【００４５】
ステップ５０８において、アクセス端末４００が少なくとも実質的に固定であると判断されたとき、アクセス端末４００は、従来の頻度と比較して低減された頻度で１つまたは複数のセル再選択プロシージャをさらに行う。たとえば、アイドルモードセル再選択動作４１２を実行する処理回路４０２は、アクセス端末４００が少なくとも実質的に固定であると判断したことに応答して、（従来のパラメータと比較して）セル再選択プロシージャが行われる頻度を低減し得る。
【００４６】
一例では、処理回路４０２は、低減された頻度でサービングセルに関連する信号品質を評価するように適応され得る。たとえば、処理回路４０２は、処理回路４０２が電源のスタンバイ時間を改善するためにスロットサイクル中のページングチャネル（ＰＣＨ）を監視する不連続受信モード（たとえば、ＤＲＸ）で動作し得る。各スロットサイクルの最初に、処理回路４０２は、起動し、サービングセルを再取得し、それのページングチャネル（ＰＣＨ）を読み取る。少なくともいくつかの例では、アクセス端末４００が少なくとも実質的に固定であると判断されたとき、アイドルモードセル再選択動作４１２を実行する処理回路４０２は、処理回路４０２がより低い頻度でページングチャネル（ＰＣＨ）を分析することを可能にするスロットサイクルを採用し得る。
【００４７】
別の例では、処理回路４０２は、低減された頻度でセル再選択のための可能な基地局チャネルを探索するように適応され得る。処理回路４０２は、概して、それがネットワークの最も適切なセルにキャンプオンされることを保証するためにより良いセルを周期的に探索するように適応され得る。そのような探索は、各ネイバーセルのための１つまたは複数の信号パラメータを測定することを含み得る。各ネイバーセル測定はバッテリー電力を消費する。したがって、アイドルモードセル再選択動作４１２を実行する処理回路４０２は、アクセス端末４００がモバイルであるときと比較して、アクセス端末４００が少なくとも実質的に固定であるとき、低減された頻度でより良いセルの周期探索を実行し得る。より低い頻度でより良いセルを探索することによって、アイドルモードセル再選択動作４１２を実行する処理回路４０２はバッテリー消費を低減することができる。
【００４８】
１つまたは複数の他の利益の中でも、本明細書で説明した様々な態様および特徴は、セル再選択の低減と、固定アクセス端末おけるセル再選択につながるプロセスの低減とを可能にし得る。そのような低減は、利点の中でも、電力節約と、電荷間のアクセス端末のための電源の寿命の増加とを与え得る。
【００４９】
上記で説明した態様、構成、および実施形態は具体的な詳細および委細とともに説明したが、図１、図２、図３、図４および／または図５に示した構成要素、ステップ、特徴および／または機能のうちの１つまたは複数は、単一の構成要素、ステップ、特徴または機能に再構成されおよび／または組み合わせられるか、あるいはいくつかの構成要素、ステップ、または機能で実施され得る。また、本発明から逸脱することなく追加の要素、構成要素、ステップ、および／または機能が追加または利用され得る。図１、図２および／または図４に示した装置、デバイス、パラメータおよび／または構成要素は、図３および／または図５で説明した方法、特徴、またはステップのうちの１つまたは複数を実行するように構成され得る。本明細書で説明した新規のアルゴリズムはまた、効率的にソフトウェアで実装されおよび／またはハードウェアに組み込まれ得る。
【００５０】
また、少なくともいくつかの実装形態について、フローチャート、流れ図、構造図、またはブロック図として示されたプロセスとして説明したことに留意されたい。フローチャートは動作を逐次プロセスとして説明することがあるが、動作の多くは並行してまたは同時に実行され得る。さらに、動作の順序は並び替えられ得る。プロセスは、その動作が完了すると終了する。プロセスは、方法、関数、プロシージャ、サブルーチン、サブプログラムなどに対応し得る。プロセスが関数に対応する場合、その終了は呼出し側関数またはメイン関数への関数の復帰に対応する。
【００５１】
さらに、本明細書で開示した実施形態に関連して説明した様々な例示的な論理ブロック、モジュール、回路、およびアルゴリズムステップは、ハードウェア、ソフトウェア、ファームウェア、ミドルウェア、マイクロコード、またはそれらの任意の組合せとして実装され得ることを、当業者は諒解されよう。この互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。
【００５２】
「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の非一時的媒体を含み得る。したがって、本明細書で説明した様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって部分的にまたは完全に実装され得る。
【００５３】
本明細書で説明し、添付の図面において示した例に関連する様々な特徴は、本開示の範囲から逸脱することなく、異なる例および実装形態に実装され得る。したがって、いくつかの特定の構成および配置について説明し、添付の図面において示したが、説明した実施形態への様々な他の追加および変更、ならびに説明した実施形態からの削除は当業者には明らかであるので、そのような実施形態は例示的にすぎず、開示の範囲を限定するものではない。したがって、本開示の範囲は、以下の請求項の文字通りの言語、および法的均等物によってのみ決定される。
【図１】
2014533912.tif 000003
【図２】
2014533912.tif 000004
【図３】
2014533912.tif 000005
【図４】
2014533912.tif 000006
【図５】
2014533912.tif 000007
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
アクセス端末であって、
通信インターフェースと、
記憶媒体と、
前記通信インターフェースと前記記憶媒体とに結合された処理回路であって、
前記アクセス端末がモバイルであるとき、セル再選択を実行すべきかどうかを判断するために１つまたは複数のモバイルしきい値を採用することと、
前記アクセス端末が少なくとも実質的に固定であるとき、セル再選択を実行すべきかどうかを判断するために１つまたは複数の固定しきい値を採用することであって、前記１つまたは複数の固定しきい値は、セル再選択のための１つまたは複数の他のセルの信号測定をトリガするサービングセルに関連する信号品質のレベルについての低減されたしきい値と、新しいセルの品質が、前記新しいセルへの再選択が実行される前のサービングセルの品質よりも良好であるべきである量についての増加したしきい値とを備える固定しきい値のグループから選択される、固定しきい値を採用することと
を行うように適応された処理回路と
を備える、アクセス端末。
【請求項２】
前記処理回路は、前記アクセス端末がモバイルであるか、少なくとも実質的に固定であるかを判断するようにさらに適応された、請求項１に記載のアクセス端末。
【請求項３】
前記処理回路は、前記記憶媒体において事前プロビジョニングされたモビリティタイプデータから、前記アクセス端末がモバイルであるか、少なくとも実質的に固定であるかを判断するように適応された、請求項２に記載のアクセス端末。
【請求項４】
前記処理回路は、前記アクセス端末が所定の時間期間にわたって新しいセルを再選択しなかったとき、前記アクセス端末が少なくとも実質的に固定であると判断するように適応された、請求項２に記載のアクセス端末。
【請求項５】
前記処理回路は、前のセル再選択がセルの共通グループ間の再選択に限定されているとき、前記アクセス端末が少なくとも実質的に固定であると判断するように適応された、請求項２に記載のアクセス端末。
【請求項６】
前記処理回路は、１つまたは複数の近隣セルについての相対的信号強度が所定の持続時間の間少なくとも実質的に同じままであるとき、前記アクセス端末が少なくとも実質的に固定であると判断するように適応された、請求項２に記載のアクセス端末。
【請求項７】
前記処理回路は、前記アクセス端末についてのＧＰＳロケーションが所定の時間期間の間少なくとも実質的に同じままであるとき、前記アクセス端末が少なくとも実質的に固定であると判断するように適応された、請求項２に記載のアクセス端末。
【請求項８】
前記処理回路は、
前記アクセス端末が少なくとも実質的に固定であるとき、低減された頻度で１つまたは複数のセル再選択プロシージャを行う
ようにさらに適応された、請求項１に記載のアクセス端末。
【請求項９】
アクセス端末において動作可能な方法であって、
前記アクセス端末が少なくとも実質的に固定であると判断することと、
前記アクセス端末が少なくとも実質的に固定であると判断したことに応答して、セル再選択を実行すべきかどうかを判断するために１つまたは複数の固定しきい値を採用することであって、前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が行われる前のサービングセルの品質よりも良好であるべきである量についての増加したしきい値と
を備える固定しきい値のグループから選択される、採用することと
を備える、方法。
【請求項１０】
前記アクセス端末が少なくとも実質的に固定であると判断することは、
記憶媒体に記憶された事前プロビジョニングされたデータから、前記アクセス端末が少なくとも実質的に固定であることを示すモビリティタイプを取得すること
を備える、請求項９に記載の方法。
【請求項１１】
前記アクセス端末が少なくとも実質的に固定であると判断することは、
前記アクセス端末が所定の時間期間にわたって新しいセルを再選択しなかったと判断すること、または
前のセル再選択がセルの共通グループ間の再選択に限定されていると判断すること
のうちの少なくとも１つを備える、請求項９に記載の方法。
【請求項１２】
前記アクセス端末が少なくとも実質的に固定であると判断することは、
所定の時間期間にわたって複数の近隣セルの各々についての相対的パイロット信号強度を監視することと、
１つまたは複数の近隣セルについての前記相対的パイロット信号強度の変化があらかじめ定義されたしきい値を下回ると判断することと
を備える、請求項９に記載の方法。
【請求項１３】
前記アクセス端末が少なくとも実質的に固定であると判断することは、
所定の時間期間の間ＧＰＳロケーションを監視することと、
前記所定の時間期間にわたる前記ＧＰＳロケーションの変化があらかじめ定義されたしきい値よりも小さいと判断することと
を備える、請求項９に記載の方法。
【請求項１４】
前記アクセス端末が少なくとも実質的に固定であると判断したことに応答して、低減された頻度で１つまたは複数のセル再選択プロシージャを行うこと
をさらに備える、請求項９に記載の方法。
【請求項１５】
低減された頻度で１つまたは複数のセル再選択プロシージャを行うことが、
低減された頻度でサービングセルに関連する信号品質を評価すること
を備える、請求項１４に記載の方法。
【請求項１６】
低減された頻度で１つまたは複数のセル再選択プロシージャを行うことが、
低減された頻度で１つまたは複数の他のセルに関連する信号を分析すること
を備える、請求項１４に記載の方法。
【請求項１７】
前記アクセス端末がモバイルであるとき、セル再選択を実行すべきかどうかを判断するために１つまたは複数のモバイルしきい値を採用すること
をさらに備える、請求項９に記載の方法。
【請求項１８】
アクセス端末であって、
前記アクセス端末が少なくとも実質的に固定であると判断するための手段と、
前記アクセス端末が少なくとも実質的に固定であるという判断に続いて、セル再選択を実行すべきかどうかを判断するために１つまたは複数の固定しきい値を採用するための手段であって、セル再選択を実行すべきかどうかを判断するための前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が実行される前のサービングセルの品質よりも良好であるべきである量についての増加したしきい値と
を備える固定しきい値のグループから選択される、採用するための手段と
を備える、アクセス端末。
【請求項１９】
前記アクセス端末が少なくとも実質的に固定であるという判断に続いて、低減された頻度で１つまたは複数のセル再選択プロシージャを行うための手段
をさらに備える、請求項１８に記載のアクセス端末。
【請求項２０】
アクセス端末上で動作可能なプログラミングを備えるプロセッサ可読媒体であって、プロセッサによって実行されたとき、
前記アクセス端末がモバイルであるとき、セル再選択を実行すべきかどうかを判断するために１つまたは複数のモバイルしきい値を採用することと、
前記アクセス端末が少なくとも実質的に固定であるとき、セル再選択を実行すべきかどうかを判断するために１つまたは複数の固定しきい値を採用することであって、セル再選択を実行すべきかどうかを判断するための前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が実行される前のサービングセルの品質よりも良好であるべきである量についての増加したしきい値と
を備える、固定しきい値を採用することと
を前記プロセッサに行わせる、プロセッサ可読媒体。
【請求項２１】
前記プロセッサによって実行されたとき、
前記アクセス端末がモバイルであるか、少なくとも実質的に固定であるかを判断すること
を前記プロセッサに行わせるプログラミングをさらに備える、請求項２０に記載のプロセッサ可読媒体。
【請求項２２】
前記プロセッサによって実行されたとき、
前記アクセス端末が少なくとも実質的に固定であるとき、低減された頻度で１つまたは複数のセル再選択プロシージャを行うこと
を前記プロセッサに行わせるプログラミングをさらに備える、請求項２０に記載のプロセッサ可読媒体。
【手続補正２】
【補正対象書類名】明細書
【補正対象項目名】００５３
【補正方法】変更
【補正の内容】
【００５３】
本明細書で説明し、添付の図面において示した例に関連する様々な特徴は、本開示の範囲から逸脱することなく、異なる例および実装形態に実装され得る。したがって、いくつかの特定の構成および配置について説明し、添付の図面において示したが、説明した実施形態への様々な他の追加および変更、ならびに説明した実施形態からの削除は当業者には明らかであるので、そのような実施形態は例示的にすぎず、開示の範囲を限定するものではない。したがって、本開示の範囲は、以下の請求項の文字通りの言語、および法的均等物によってのみ決定される。
以下に本願の出願当初の特許請求の範囲に記載された発明を付記する。
［Ｃ１］
アクセス端末であって、
通信インターフェースと、
記憶媒体と、
前記通信インターフェースと前記記憶媒体とに結合された処理回路であって、
前記アクセス端末がモバイルであるとき、セル再選択を実行すべきかどうかを判断するために１つまたは複数のモバイルしきい値を採用することと、
前記アクセス端末が少なくとも実質的に固定であるとき、セル再選択を実行すべきかどうかを判断するために１つまたは複数の固定しきい値を採用することと
を行うように適応された処理回路と
を備える、アクセス端末。
［Ｃ２］
セル再選択を実行すべきかどうかを判断するための前記１つまたは複数の固定しきい値が、
セル再選択のための１つまたは複数の他のセルの信号測定をトリガするサービングセルに関連する信号品質のレベルについての低減されたしきい値
を備える、請求項１に記載のアクセス端末。
［Ｃ３］
セル再選択を実行すべきかどうかを判断するための前記１つまたは複数の固定しきい値は、
新しいセルの品質が、前記新しいセルへの再選択が実行される前のサービングセルの品質よりも良好であるべきである量についての増加したしきい値
を備える、請求項１に記載のアクセス端末。
［Ｃ４］
前記処理回路は、前記アクセス端末がモバイルであるか、少なくとも実質的に固定であるかを判断するようにさらに適応された、請求項１に記載のアクセス端末。
［Ｃ５］
前記処理回路は、前記記憶媒体において事前プロビジョニングされたモビリティタイプデータから、前記アクセス端末がモバイルであるか、少なくとも実質的に固定であるかを判断するように適応された、請求項４に記載のアクセス端末。
［Ｃ６］
前記処理回路は、前記アクセス端末が所定の時間期間にわたって新しいセルを再選択しなかったとき、前記アクセス端末が少なくとも実質的に固定であると判断するように適応された、請求項４に記載のアクセス端末。
［Ｃ７］
前記処理回路は、前のセル再選択がセルの共通グループ間の再選択に限定されているとき、前記アクセス端末が少なくとも実質的に固定であると判断するように適応された、請求項４に記載のアクセス端末。
［Ｃ８］
前記処理回路は、１つまたは複数の近隣セルについての相対的信号強度が所定の持続時間の間少なくとも実質的に同じままであるとき、前記アクセス端末が少なくとも実質的に固定であると判断するように適応された、請求項４に記載のアクセス端末。
［Ｃ９］
前記処理回路は、前記アクセス端末についてのＧＰＳロケーションが所定の時間期間の間少なくとも実質的に同じままであるとき、前記アクセス端末が少なくとも実質的に固定であると判断するように適応された、請求項４に記載のアクセス端末。
［Ｃ１０］
前記処理回路は、
前記アクセス端末が少なくとも実質的に固定であるとき、低減された頻度で１つまたは複数のセル再選択プロシージャを行う
ようにさらに適応された、請求項１に記載のアクセス端末。
［Ｃ１１］
アクセス端末において動作可能な方法であって、
前記アクセス端末が少なくとも実質的に固定であると判断することと、
前記アクセス端末が少なくとも実質的に固定であると判断したことに応答して、セル再選択を実行すべきかどうかを判断するために１つまたは複数の固定しきい値を採用することと
を備える、方法。
［Ｃ１２］
前記アクセス端末が少なくとも実質的に固定であると判断することは、
記憶媒体に記憶された事前プロビジョニングされたデータから、前記アクセス端末が少なくとも実質的に固定であることを示すモビリティタイプを取得すること
を備える、請求項１１に記載の方法。
［Ｃ１３］
前記アクセス端末が少なくとも実質的に固定であると判断することは、
前記アクセス端末が所定の時間期間にわたって新しいセルを再選択しなかったと判断すること、または
前のセル再選択がセルの共通グループ間の再選択に限定されていると判断すること
のうちの少なくとも１つを備える、請求項１１に記載の方法。
［Ｃ１４］
前記アクセス端末が少なくとも実質的に固定であると判断することは、
所定の時間期間にわたって複数の近隣セルの各々についての相対的パイロット信号強度を監視することと、
１つまたは複数の近隣セルについての前記相対的パイロット信号強度の変化があらかじめ定義されたしきい値を下回ると判断することと
を備える、請求項１１に記載の方法。
［Ｃ１５］
前記アクセス端末が少なくとも実質的に固定であると判断することは、
所定の時間期間の間ＧＰＳロケーションを監視することと、
前記所定の時間期間にわたる前記ＧＰＳロケーションの変化があらかじめ定義されたしきい値よりも小さいと判断することと
を備える、請求項１１に記載の方法。
［Ｃ１６］
セル再選択を実行すべきかどうかを判断するために１つまたは複数の固定しきい値を採用することが、
セル再選択のための１つまたは複数の他のセルの信号測定をトリガするサービングセルに関連する信号品質のレベルについての低減されたしきい値を採用すること
を備える、請求項１１に記載の方法。
［Ｃ１７］
セル再選択を実行すべきかどうかを判断するために１つまたは複数の固定しきい値を採用することは、
新しいセルの品質が、前記新しいセルへの再選択が行われる前のサービングセルの品質よりも良好であるべきである量についての増加したしきい値を採用すること
を備える、請求項１１に記載の方法。
［Ｃ１８］
前記アクセス端末が少なくとも実質的に固定であると判断したことに応答して、低減された頻度で１つまたは複数のセル再選択プロシージャを行うこと
をさらに備える、請求項１１に記載の方法。
［Ｃ１９］
低減された頻度で１つまたは複数のセル再選択プロシージャを行うことが、
低減された頻度でサービングセルに関連する信号品質を評価すること
を備える、請求項１８に記載の方法。
［Ｃ２０］
低減された頻度で１つまたは複数のセル再選択プロシージャを行うことが、
低減された頻度で１つまたは複数の他のセルに関連する信号を分析すること
を備える、請求項１８に記載の方法。
［Ｃ２１］
前記アクセス端末がモバイルであるとき、セル再選択を実行すべきかどうかを判断するために１つまたは複数のモバイルしきい値を採用すること
をさらに備える、請求項１１に記載の方法。
［Ｃ２２］
アクセス端末であって、
前記アクセス端末が少なくとも実質的に固定であると判断するための手段と、
前記アクセス端末が少なくとも実質的に固定であるという判断に続いて、セル再選択を実行すべきかどうかを判断するために１つまたは複数の固定しきい値を採用するための手段と
を備える、アクセス端末。
［Ｃ２３］
セル再選択を実行すべきかどうかを判断するための前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が実行される前のサービングセルの品質よりも良好であるべきである量についての増加したしきい値と
を備える固定しきい値のグループから選択される、請求項２２に記載のアクセス端末。
［Ｃ２４］
前記アクセス端末が少なくとも実質的に固定であるという判断に続いて、低減された頻度で１つまたは複数のセル再選択プロシージャを行うための手段
をさらに備える、請求項２２に記載のアクセス端末。
［Ｃ２５］
アクセス端末上で動作可能なプログラミングを備えるプロセッサ可読媒体であって、プロセッサによって実行されたとき、
前記アクセス端末がモバイルであるとき、セル再選択を実行すべきかどうかを判断するために１つまたは複数のモバイルしきい値を採用することと、
前記アクセス端末が少なくとも実質的に固定であるとき、セル再選択を実行すべきかどうかを判断するために１つまたは複数の固定しきい値を採用することと
を前記プロセッサに行わせる、プロセッサ可読媒体。
［Ｃ２６］
セル再選択を実行すべきかどうかを判断するための前記１つまたは複数の固定しきい値は、
セル再選択のための１つまたは複数の他のセルの信号測定をトリガするサービングセルに関連する信号品質のレベルについての低減されたしきい値と、
新しいセルの品質が、前記新しいセルへの再選択が実行される前のサービングセルの品質よりも良好であるべきである量についての増加したしきい値と
を備える、請求項２５に記載のプロセッサ可読媒体。
［Ｃ２７］
前記プロセッサによって実行されたとき、
前記アクセス端末がモバイルであるか、少なくとも実質的に固定であるかを判断すること
を前記プロセッサに行わせるプログラミングをさらに備える、請求項２５に記載のプロセッサ可読媒体。
［Ｃ２８］
前記プロセッサによって実行されたとき、
前記アクセス端末が少なくとも実質的に固定であるとき、低減された頻度で１つまたは複数のセル再選択プロシージャを行うこと
を前記プロセッサに行わせるプログラミングをさらに備える、請求項２５に記載のプロセッサ可読媒体。
【国際調査報告】
2014533912.tif 000008
2014533912.tif 000009
2014533912.tif 000010